(57)【要約】【課題】  トレイパネルユニットのばね体にねじりばねを用いることによって、トレイパネルユニットを薄形化し、併せて、ばね体の必要数を削減する。【解決手段】  ディスクトレイ２０と、ディスクトレイ２０の前端部に装備されたトレイパネルユニット３０とを備える。トレイパネルユニット３０は、トレイ出入口１１０を塞ぐパネル本体３１とばね体と取付けフレーム３２とを有する。ばね体が、コイル部５１と、末端取付部５２と、中間取付部５３とを有するねじりばね５０でなる。パネル本体３１に末端取付部５２を連結し、中間取付部５３を取付けフレーム３２に連結して、ねじりばね５０のコイル部５１の軸線方向をディスクトレイ２０の横幅方向に沿わせておく。【選択図】        図１
2009170051.tif 000002
【特許請求の範囲】
【請求項１】
筐体のトレイ出入口を通じてディスクの搬出位置と搬入位置との間で出退されるディスクトレイと、このディスクトレイの前端部に装備されたトレイパネルユニットとを備え、トレイパネルユニットは、ディスクトレイが上記搬入位置に後退したときに、上記トレイ出入口を塞ぐパネル本体とこのパネル本体を上記トレイ出入口の受枠部に弾圧させるばね体とを有しているディスク装置において、
上記ばね体が、線材を螺旋状に巻回してなるコイル部と、このコイル部の軸線方向両端部に設けられた末端取付部と、上記コイル部の軸線方向中間部に設けられた中間取付部とを有するねじりばねでなり、
上記パネル本体と上記ディスクトレイの前端部とのうちの一方側に上記末端取付部が連結され、かつ、それらのうちの他方側に上記中間取付部が連結されていると共に、上記ねじりばねが、上記パネル本体と上記ディスクトレイの前端部との相互間でそのねじりばねのコイル部の軸線方向を上記ディスクトレイの横幅方向に沿わせて配備されていることによって、ディスク搬入位置に後退したディスクトレイにより上記パネル本体が上記ねじりばねを介して引張られてそのパネル本体が上記受枠部に弾圧されるように構成されていることを特徴とするディスク装置。
【請求項２】
上記トレイパネルユニットが、上記パネル本体及びばね体としての上記ねじりばねと、上記ディスクトレイの前端部に固着された取付けフレームとを有し、上記パネル本体と上記取付けフレームとのうちの一方側に上記末端取付部が固定され、かつ、それらのうちの他方側に上記中間取付部が固定されている請求項１に記載したディスク装置。
【請求項３】
上記ねじりばねが、上記ディスクトレイの横幅方向中央位置で上記パネル本体と上記取付けフレームとの相互間の１箇所にのみ配備されている請求項２に記載したディスク装置。
【請求項４】
上記ねじりばねの末端取付部が、当該ねじりばねのコイル部を形成している線材の両端部によって形成され、かつ、その中間取付部が、上記コイル部を形成している線材の中間部によって形成されている請求項２に記載したディスク装置。
【請求項５】
上記ねじりばねの全体が上記パネル本体と上記取付けフレームとのうちの一方又は双方に形成された凹所に収容されていて、ディスクトレイが搬出位置に向けて前進しているときに、そのねじりばねの弾性復元力により上記パネル本体の裏面が上記取付けフレームの前端に突き当てられてそれらのパネル本体と取付けフレームとにより上記ねじりばねが覆い隠されるように構成されている請求項２ないし請求項４のいずれか１項に記載したディスク装置。
【発明の詳細な説明】
【技術分野】
【０００１】
本発明は、ディスクを載架したディスクトレイがディスクの搬入位置に後退（ローディング）しているときに、筐体側のディスク出入口が、ディスクトレイの前端部に装備されているトレイパネルユニットのパネル本体によって塞がれるようになっているディスク装置に関する。特に、ディスクトレイがディスクの搬入位置に後退しているときにパネル本体がばね体の作用でディスク出入口の受枠部に弾圧した状態でそのディスク出入口が塞がれるようになっているディスク装置に関する。
【背景技術】
【０００２】
図８にトレイパネルユニットを備えるディスク装置を概略斜視図で示してある。このディスク装置では、機枠１０に出退可能に取り付けられているディスクトレイ２０の前端部に、トレイパネルユニット３０が装着される。この構成のディスク装置において、ディスクトレイ２０は、記録媒体としてのディスク（不図示）を機枠１０の内部に搬入したり機枠１０の前方へ搬出したりすることに用いられる。そして、ディスクトレイ２０にディスクが載架されて機枠１０の内部に搬入されているときに、そのディスクの記録面が光学的に処理されて情報の記録や再生が行われる。
【０００３】
図９は従来例としてのディスク装置に採用されているトレイパネルユニット３０をディスクトレイ２０の前端部に装着している状態を示した概略横断平面図である。図例のトレイパネルユニット３０は、横長のパネル本体３１と、ディスクトレイ２０の前端部に固着されている横長の取付けフレーム３２と、パネル本体３１を取付けフレーム３２に連結しているばね付勢機構３３とを備えている。そして、ばね付勢機構３３が、パネル本体３１から延び出て取付けフレーム３２の軸挿通孔３４に遊嵌状態で挿通されているガイド軸３５と、このガイド軸３５に外嵌されて一端部がガイド軸３５に連結され、かつ、他端部が取付けフレーム３２の裏面の座面３７に重ね合わされてなるばね体としての圧縮コイルばね３６と、を備えていて、この圧縮コイルばね３６の伸長作用（復元作用）によってパネル本体３１が取付けフレーム３２側に向けて常時弾発付勢されている。また、取付けフレーム３２には、圧縮コイルばね３６によって付勢されているパネル本体３１を受け止めてパネル本体３１のぐらつきを抑制するための受部３８が備わっている。
【０００４】
また、図９に示したように、上記ばね付勢機構３３は、トレイパネルユニット３０の横方向２箇所に設けられている。このようにばね付勢機構３３をトレイパネルユニット３０の横方向２箇所に設けておくと、トレイパネル３１の横方向の一端部や他端部がディスクトレイ２０の厚さ方向に振れるという回転振れが抑制されるために、ディスクトレイ２０に対するトレイパネル３１の許容することのできない位置ずれを防ぐことに役立つ。
【０００５】
図８に示したディスク装置は、一般的には図示していない筐体に収納されている。そして、ディスク装置を収納している筐体がフロントパネルを備えているときには、そのフロントパネルに、ディスク装置のディスクトレイ２０が出入りするトレイ出入口が開口していて、ディスクトレイ２０がそのトレイ出入口を通じてディスクの搬出位置と搬入位置との間で出退可能になるように構成される。
【０００６】
図１０〜図１２には上記筐体のフロントパネル１００のトレイ出入口１１０とディスクトレイ２０の前端に装着されているトレイパネルユニット３０との関係を示している。具体的には、図１０は、ディスクトレイ２０が搬出位置に向けて矢印Ａのように前進しているときのトレイ出入口１１０とトレイパネルユニット３０との関係を示した縦断面図、図１１は、ディスクトレイ２０が搬入位置に向けて矢印Ｂのように後退しているときのトレイ出入口１１０とトレイパネルユニット３０との関係を示した縦断面図、図１２は、矢印Ｂのように後退したディスクトレイ２０が搬入位置に後退したとき（到達したとき）のトレイ出入口１１０とトレイパネルユニット３０との関係を示した縦断面図である。
【０００７】
このディスク装置において、図１０のようにディスクトレイ２０が搬出位置に向けて矢印Ａのように前進しているときには、ディスクトレイ２０がトレイ出入口１１０の前方へ突き出ているので、トレイパネルユニット３０のパネル本体３１がトレイ出入口１１０から離れている。これに対し、図１１のように、ディスクトレイ２０が搬入位置に向けて矢印Ｂのように後退すると、ディスクトレイ２０が搬入位置に到達する直前で、トレイパネルユニット３０のパネル本体３１がトレイ出入口１１０に設けられている受枠部１２０に当接する。そして、図１２のように、ディスクトレイ２０が搬入位置に向けて矢印Ｂのように後退して搬入位置に到達すると、ディスクトレイ２０に装着されているトレイパネルユニット３０の取付けフレーム３２が圧縮コイルばね３６を圧縮してパネル本体３１から離れる。このため、パネル本体３１がトレイ出入口１１０の受枠部１２０に弾圧した状態でそのトレイ出入口１１０を塞ぐ。
【０００８】
以上説明した従来例のように、ディスクトレイ２０が搬入位置に向けて後退するときに、搬入位置に到達する直前でパネル本体３１がトレイ出入口１１０の受枠部１２０に当接し、その後、取付けフレーム３２が圧縮コイルばね３６を圧縮してパネル本体３１から離れてディスクトレイ２０が搬入位置に到達するようになっていると、パネル本体３１が受枠部１２０に衝突するときにフロントパネル１００などに加わる衝撃が圧縮コイルばね３６により吸収されて緩和されるだけでなく、パネル本体３１とトレイ出入口１１０の受枠部１２０との間の隙間が塞がって目立たなくなり、さらに、衝突音が軽減されたりしてディスク装置の動作品位が向上するといった利点や、ディスクトレイ２０などの組付け精度の誤差などを吸収させやすくなるといった利点がある。また、ディスクトレイ２０が搬入位置に到達しているときにパネル本体３１がトレイ出入口１１０の受枠部１２０に弾圧した状態でそのトレイ出入口１１０を塞いでいると、トレイ出入口１１０からの塵芥の侵入を防ぐ機能が発揮されるほか、ディスク回転によって生じる風きり音などがトレイ出入口１１から出にくくなるという利点がある。
【０００９】
上記した従来例において、トレイパネルユニット３０は、ディスクトレイ２０が搬入位置に後退したときに、トレイ出入口１１０を塞ぐパネル本体３１とこのパネル本体３１をトレイ出入口１１０の受枠部１２０に弾圧させるばね体とを有していて、ばね体に圧縮コイルばね３６が用いられている。また、トレイパネルユニット３０のパネル本体３１と取付けフレーム３２とは、トレイパネルユニット３０の横方向２箇所でばね付勢機構３３により連結されている。
【００１０】
一方、ディスクトレイの前端部にトレイパネルユニットを装着したディスク装置では、そのトレイパネルユニットの具体的構成に関して従来より種々の提案がなされている。たとえば、横方向の２箇所に設けた圧縮コイルばねによってディスクトレイとパネル本体とを連結したものが知られている（たとえば、特許文献１参照）。また、圧縮コイルばねに代えて引張りコイルばねを用い、ディスクトレイとパネル本体とをその横方向の２箇所で引張りコイルばねにより連結したものも提案されている（たとえば、特許文献２参照）。さらに、横長の樹脂ばねをパネル本体と共に一体成形し、その樹脂ばねをディスクトレイに連結したものも提案されている（たとえば、特許文献３参照）。
【００１１】
そして、これらの特許文献によって提案されているものはいずれもばね体としてコイルばね（圧縮コイルばね又は引張りコイルばね）を採用し、そのコイルばねの軸線方向をディスクトレイの出退方向に一致させてあると共に、横長のパネル本体の横方向の２箇所にコイルばねを配備することによってトレイパネル３１の横方向両端部の大幅な回転振れを抑制しているという点で、図９などを参照して説明した従来例と共通している。
【特許文献１】特開平１０−４０６７１号公報
【特許文献２】特開平７−２８２５６９公報
【特許文献３】特開２０００−２３１７７９号公報
【発明の開示】
【発明が解決しようとする課題】
【００１２】
しかしながら、図９などを参照して説明した従来例や上掲の各特許文献によって提案されているように、ばね体に圧縮コイルばね又は引張りコイルばねなどのコイルばねを採用し、そのコイルばねの軸線方向をディスクトレイの出退方向に一致させておく、という構成を採用すると、コイルばねの軸長が長くなることによってトレイパネルユニット３０の全体寸法、すなわちパネル本体３１と取付けフレーム３２とコイルばね（ばね体）とを含むコイルばね軸線方向の長さ寸法（以下「トレイパネルユニット３０の厚さ寸法」という）が長くなり、それだけディスクトレイ２０の前端からのトレイパネルユニット３０の張出し幅が長くなってディスク装置が大形化してしまうという問題があった。加えて、コイルばねの弾性力を増大させるためにコイルばねの線径を大きくしたり、コイルばねの伸縮代を増大させるためにコイルばね輪部ピッチを拡げたりすると、それだけコイルばねの軸長が長くなって上記問題点がいっそう顕著になる。
【００１３】
また、上記のようにばね体にコイルばねを用いると、上述したパネル本体３１の回転振れを抑制してその位置ずれを防ぐための対策として上記したばね付勢機構３３をトレイパネルユニット３０の横方向の２箇所に設けるという対策が一般的に講じられているので、ばね体の必要数が最低でも２個必要になり、それに見合って部品コストや組立コストが高くつくという問題があった。
【００１４】
本発明は以上の問題や状況に鑑みてなされたものであり、トレイパネルユニットに採用されているばね体を、従来例などに用いられているコイルばねからねじりばねに変更すると共に、そのねじりばねの取付姿勢などに工夫を講じることによって、トレイパネルユニットの厚さ寸法を短く抑えてその薄形化を図ることが可能になるディスク装置を提供することを目的とする。
【００１５】
また、本発明は、ばね体としてのねじりばねの取付位置に工夫を講じることにより、ばね体の必要数を１つに減らしても上記したパネル本体の回転振れを起こすことのないディスク装置を提供することを目的とする。
【課題を解決するための手段】
【００１６】
本発明に係るディスク装置は、筐体のトレイ出入口を通じてディスクの搬出位置と搬入位置との間で出退されるディスクトレイと、このディスクトレイの前端部に装備されたトレイパネルユニットとを備え、トレイパネルユニットは、ディスクトレイが上記搬入位置に後退したときに、上記トレイ出入口を塞ぐパネル本体とこのパネル本体を上記トレイ出入口の受枠部に弾圧させるばね体とを有している。そして、上記ばね体が、線材を螺旋状に巻回してなるコイル部と、このコイル部の軸線方向両端部に設けられた末端取付部と、上記コイル部の軸線方向中間部に設けられた中間取付部とを有するねじりばねでなる。また、上記パネル本体と上記ディスクトレイの前端部とのうちの一方側に上記末端取付部が連結され、かつ、それらのうちの他方側に上記中間取付部が連結されていると共に、上記ねじりばねが、上記パネル本体と上記ディスクトレイの前端部との相互間でそのねじりばねのコイル部の軸線方向を上記ディスクトレイの横幅方向に沿わせて配備されていることによって、ディスク搬入位置に後退したディスクトレイにより上記パネル本体が上記ねじりばねを介して引張られてそのパネル本体が上記受枠部に弾圧されるように構成されている。
【００１７】
この構成を採用したディスク装置では、ばね体としてねじりばねが用いられ、そのねじりばねはそのコイル部の軸線方向がディスクトレイの横幅方向に沿わせて配備され、しかも、コイル部の軸線方向両端部の末端取付部と中間取付部とがパネル本体とディスクトレイの前端部とに振り分けて連結されているので、ディスク搬入位置に後退したディスクトレイによりパネル本体がねじりばねを介して引張られてそのパネル本体がトレイ出入口の受枠部に弾圧されているときの弾圧力は、ねじりばねのコイル部の軸線が折れ曲がった状態での復元反力などによって発揮される。
【００１８】
また、ばね体としてのねじりばねはそのコイル部の軸線方向がディスクトレイの横幅方向に沿わせて配備されていることにより、ばね体の弾性力を増大させるためにねじりばねの線径を大きくしたり、ねじりばねの長さを長くしたりしても、それによってトレイパネルユニットの厚さ寸法が大きく変化することはない。併せて、ねじりばねのコイル部の直径は、従来例などで採用されていたコイルばねの軸長に比べて格段に短くて済むので、トレイパネルユニットの薄形化が容易に図られることになる。
【００１９】
本発明では、上記トレイパネルユニットが、上記パネル本体及びばね体としての上記ねじりばねと、上記ディスクトレイの前端部に固着された取付けフレームとを有し、上記パネル本体と上記取付けフレームとのうちの一方側に上記末端取付部が固定され、かつ、それらのうちの他方側に上記中間取付部が固定されている、という構成を採用することが可能である。この構成であると、パネル本体をディスクトレイの前端部に装備させるための組立作業性が、冒頭で説明した従来例の場合と同等に維持される。すなわち、トレイパネルユニットが、パネル本体に加えて取付けフレームを備える所謂ダブル構造になって、ディスクトレイに対する装着作業性を向上させることが可能になる。
【００２０】
本発明では、上記ねじりばねが、上記ディスクトレイの横幅方向中央位置で上記パネル本体と上記取付けフレームとの相互間の１箇所にのみ配備されていることが望ましい。この構成を採用しても、コイル部の軸線方向がディスクトレイの横幅方向に沿わせて配備されているねじりばねの弾性によってパネル本体の回転振れが抑制される。そのため、ばね体としてのねじりばねの必要数を１つだけにすることが可能になり、従来例などに比べてばね体の必要数が削減されて、部品コストや組立コストを安く抑えることが可能になる。
【００２１】
本発明では、上記ねじりばねの末端取付部が、当該ねじりばねのコイル部を形成している線材の両端部によって形成され、かつ、その中間取付部が、上記コイル部を形成している線材の中間部によって形成されていることが望ましい。この構成であれば、ねじりばねの末端取付部や中間取付部を、余分な部品を用いずに形成することが可能である。
【００２２】
本発明では、上記ねじりばねの全体が上記パネル本体と上記取付フレームとのうちの一方又は双方に形成された凹所に収容されていて、ディスクトレイが搬出位置に後退しているときに、そのねじりばねの弾性復元力により上記パネル本体の裏面が上記取付フレームの前端に突き当てられてそれらのパネル本体と取付フレームとにより上記ねじりばねが覆い隠されるように構成されていることが望ましい。この構成を採用すると、トレイパネルユニットに関して、ばね体としてのねじりばねが目立たなくなってその外観が良好になり、併せて、トレイパネルユニットのいっそうの薄形化を容易に図ることが可能になる。
【発明の効果】
【００２３】
以上のように、本発明によれば、トレイパネルユニットのばね体をねじりばねとし、そのねじりばねのコイル部の軸線方向をディスクトレイの横幅方向に沿わせて配備してあるので、従来例に比べてトレイパネルユニットの厚さ寸法が短く抑えられてその薄形化を容易に図ることが可能になるという効果が奏される。また、ばね体としてのねじりばねの必要数を１つに減らして組立て作業性などを改善しても、パネル本体の回転振れを起こすことのないディスク装置を提供することが可能になった。
【発明を実施するための最良の形態】
【００２４】
図１は本発明の実施形態に係るディスク装置に採用されているトレイパネルユニット３０を概略で示した縦断側面図である。また、図２はトレイパネルユニット３０をディスクトレイ２０の前端部に装着している状態を示した概略横断平面図である。さらに、図３はばね体としてのねじりばね５０の形状を説明するための概略正面図である。
【００２５】
この実施形態のディスク装置においても、図８を参照して説明したものと同様に、機枠１０に出退可能に取り付けられているディスクトレイ２０の前端部に、トレイパネルユニット３０が装着される。そして、ディスクトレイ２０が、記録媒体としてのディスク（不図示）を機枠１０の内部に搬入したり機枠１０の前方へ搬出したりすることに用いられる。また、ディスクトレイ２０にディスクが載架されて機枠１０の内部に搬入されているときに、そのディスクの記録面が光学的に処理されて情報の記録や再生が行われる。
【００２６】
図１のように、トレイパネルユニット３０は、横長のパネル本体３１と、ディスクトレイ２０の前端部に固着されている横長の取付けフレーム３２と、パネル本体３１を取付けフレーム３２に連結しているばね体としてのねじりばね５０とを備えている。そして、ばね体５０の復元作用によってパネル本体３１が取付けフレーム３２側に向けて常時弾発付勢されている。また、取付けフレーム３２には、ねじりばね５０によって付勢されているパネル本体３１を受け止めてパネル本体３１のぐらつきを抑制するための受部３８が備わっている。
【００２７】
図３に示したように、図例のねじりばね５０は、所定の線径を有する線材を螺旋状に巻回してなるコイル部５１と、このコイル部５１の軸線方向両端部に設けられた末端取付部５２，５２と、コイル部５１の軸線方向中間部（図例では軸線方向中央部）に設けられた中間取付部５３とを有している。したがって、上記コイル部５１は、中間取付部５３によって左右に分断されている。このねじりばね５０において、左右の末端取付部５２，５２は、コイル部５１を形成している線材の両端部を当該コイル部５１の軸線方向外向きに折り曲げることによって形成されている。また、中間取付部５３は、コイル部５１を形成している線材の中間部をＵ字形に折り曲げることによって形成されている。
【００２８】
図２のように、ねじりばね５０は、トレイパネルユニット３０の取付けフレーム３２が固着されているディスクトレイ２０の横幅方向Ｗの中央位置でパネル本体３１と取付けフレーム３２との相互間の１箇所にのみ配備されている。したがって、このディスク装置においては、トレイパネルユニット３０に用いられているばね体の数は、ねじりばね５０の１個のみである。
【００２９】
図１又は図２のように、ねじりばね５０はその全体がパネル本体３１と取付けフレーム３２との双方に形成された凹所４１，４２に収容されている。また、ねじりばね５０が、パネル本体３１とディスクトレイ２０の前端部に装着されている取付けフレーム３２との相互間で、そのねじりばね５０のコイル部５１の軸線方向（図３に符号Ｌで示してある）をディスクトレイ２０の横幅方向Ｗに沿わせて配備されている。このため、ディスクトレイ２０（図２など参照）が搬出位置に向けて前進しているときには、ねじりばね５０の弾性復元力によりパネル本体３１の裏面が取付けフレーム３２の前端に位置している受部３８に突き当てられてそれらのパネル本体３１と取付けフレーム３２とによりねじりばね５０が覆い隠される。この構成を採用した結果、トレイパネルユニット３０に関して、ねじりばね５０が目立たなくなってその外観が良好に保たれ、併せて、トレイパネルユニット３０の全体の薄形化が顕著に達成された。
【００３０】
ねじりばね５０の末端取付部５２や中間取付部５３をパネル本体３１や取付けフレーム２２に固定するための構造には、種々の構成を採用することが可能であって、図例では次に説明する構成を採用している。すなわち、図１に示したように、左右の末端取付部５２をパネル本体３１側に設けた取付孔４３に差し込むと共に、それらの末端取付部５２をパネル本体３１側の押さえ突起４４で押さえてそのぐらつきを防いでいる。これに対し、中間取付部５３は、取付けフレーム３２側に設けた溝部４６に差し込まれて、ぐらつかないように保持されている。
【００３１】
この実施形態では、ねじりばね５０の全体をパネル本体３１と取付けフレーム３２との双方に形成された凹所４１，４２に収容することによってねじりばね５０を覆い隠しているけれども、この点は、たとえば、ねじりばね５０の全体をパネル本体３１と取付けフレーム３２とのうちのいずれかに形成して凹所に収容しておいてもよい。また、ねじりばね５０の末端取付部５２を取付けフレーム３２側に固着し、その中間取付部５３をパネル本体３１側に固着しておいてもよい。
【００３２】
以上説明したトレイパネルユニット３０によれば、パネル本体３１にねじりばね５０の左右の末端取付部５２，５２が固着連結され、その中間取付部５３が取付けフレーム３２を介してディスクトレイ２０の前端部に連結されていることになる。
【００３３】
図１に示したトレイパネルユニット３０において、ねじりばね５０は、パネル本体３１を取付けフレーム３２側に弾性的に引き寄せる作用を発揮するようになっている。このためのねじりばね５０の弾性力は、あらかじめコイル部５１の軸線をその弾性に抗して曲げておき、その軸線をまっすぐに伸長させる弾性力をねじりばね５０に発揮させることによって得られるほか、ねじりばね５０の末端取付部５２，５２や中間取付部５３の復元反力をパネル本体３１や取付けフレーム３２に作用させることによっても得られる。
【００３４】
冒頭で説明したように、ディスク装置は、一般的には図示していない筐体に収納されている。そして、ディスク装置を収納している筐体がフロントパネルを備えているときには、そのフロントパネルに、ディスク装置のディスクトレイ２０が出入りするトレイ出入口が開口していて、ディスクトレイ２０がそのトレイ出入口を通じてディスクの搬出位置と搬入位置との間で出退可能になるように構成される。
【００３５】
図４〜図６には上記筐体のフロントパネル１００のトレイ出入口１１０とディスクトレイ２０の前端に装着されているトレイパネルユニット３０との関係を示している。具体的には、図４は、ディスクトレイ２０が搬出位置に向けて矢印Ａのように前進しているときのトレイ出入口１１０とトレイパネルユニット３０との関係を示した縦断面図、図５は、ディスクトレイ２０が搬入位置に向けて矢印Ｂのように後退しているときのトレイ出入口１１０とトレイパネルユニット３０との関係を示した縦断面図、図６は、矢印Ｂのように後退したディスクトレイ２０が搬入位置に後退したとき（到達したとき）のトレイ出入口１１０とトレイパネルユニット３０との関係を示した縦断面図である。
【００３６】
このディスク装置において、図４のようにディスクトレイ２０が搬出位置に向けて矢印Ａのように前進しているときには、ディスクトレイ２０がトレイ出入口１１０の前方へ突き出ているので、トレイパネルユニット３０のパネル本体３１がトレイ出入口１１０から離れている。このため、ねじりばね５０の作用によりパネル本体３１が取付けフレーム３２側に弾性的に引き寄せられて、そのパネル本体３１が取付けフレーム３２の受部３８に当接している。
【００３７】
これに対し、図５のように、ディスクトレイ２０が搬入位置に向けて矢印Ｂのように後退すると、ディスクトレイ２０が搬入位置に到達する直前で、トレイパネルユニット３０のパネル本体３１がトレイ出入口１１０に設けられている受枠部１２０に当接する。そして、図６のように、ディスクトレイ２０が搬入位置に向けて矢印Ｂのように後退して搬入位置に到達すると、ディスクトレイ２０に装着されているトレイパネルユニット３０の取付けフレーム３２がねじりばね５０をその弾性に抗して変形させてパネル本体３１から離れる。このため、パネル本体３１がトレイ出入口１１０の受枠部１２０に弾圧した状態でそのトレイ出入口１１０を塞ぐ。
【００３８】
図６のようにパネル本体３１がトレイ出入口１１０の受枠部１２０に弾圧した状態でそのトレイ出入口１１０を塞いでいるときのパネル本体３１に対する引張作用は、ねじりばね５０の弾性的な復元反力によって発揮される。すなわち、このときには、ねじりばね５０のコイル部５１の軸線方向中間部が図７に矢印Ｆで示したように取付けフレーム３２（図６参照）により引張られてその軸線Ｌ１がく字形に折れ曲がることによって復元反力が発生するので、その復元反力によって発揮される。
【００３９】
以上説明した実施形態によると、ディスクトレイ２０が搬入位置に向けて後退するときに、搬入位置に到達する直前でパネル本体３１がトレイ出入口１１０の受枠部１２０に当接し、その後、取付けフレーム３２がねじりばね５０の付勢に抗してパネル本体３１から離れてディスクトレイ２０が搬入位置に到達するようになっていると、パネル本体３１が受枠部１２０に衝突するときにフロントパネル１００などに加わる衝撃がねじりばね５０の弾性変形により吸収されて緩和されるだけでなく、パネル本体３１とトレイ出入口１１０の受枠部１２０との間の隙間が塞がって目立たなくなり、さらに、衝突音が軽減されたりしてディスク装置の動作品位が向上するといった利点や、ディスクトレイ２０などの組付け精度の誤差などを吸収させやすくなるといった利点がある。また、ディスクトレイ２０が搬入位置に到達しているときにパネル本体３１がトレイ出入口１１０の受枠部１２０に弾圧した状態でそのトレイ出入口１１０を塞いでいると、トレイ出入口１１０からの塵芥の侵入を防ぐ機能が発揮されるほか、ディスク回転によって生じる風きり音などがトレイ出入口１１から出にくくなるという利点がある。
【００４０】
また、ばね体としてのねじりばね５０はそのコイル部５１の軸線方向Ｌがディスクトレイ２０の横幅方向Ｗに沿わせて配備されていることにより、ばね体の弾性力を増大させるためにねじりばね５０の線径を大きくしたり、ねじりばね５０の長さを増減してねじりばね５０の復元反力の大きさを調節したりしても、それによってトレイパネルユニット３０の厚さ寸法が大きく変化することはない。併せて、ねじりばねのコイル部の直径は、従来例などで採用されていたコイルばねの軸長に比べて格段に短くて済む（具体的には３ｍｍ程度でよい）ので、トレイパネルユニットの薄形化が容易に図られる。
【００４１】
また、ねじりばね５０がディスクトレイ２０の横幅方向Ｗの中央位置でパネル本体３１と取付けフレーム３２との相互間の１箇所にのみ配備されているとしても、ねじりばね５０は、そのコイル部５１の軸線方向両端部の末端取付部５１，５１が、パネル本体に、コイル部５１の長さに見合う間隔を隔てた２箇所に固定されているので、図２に矢印Ｓで示したようなパネル本体３１のスイング、すなわちパネル本体３１の一端部や他端部がディスクトレイ２０の前端に対して接近離間する方向に揺動する動作が抑制されるだけでなく、上記したパネル本体３１の回転振れも抑制されるようになる。
【図面の簡単な説明】
【００４２】
【図１】本発明の実施形態に係るディスク装置に採用されているトレイパネルユニットの概略縦断側面図である。
【図２】ディスクトレイの前端部に装着されているトレイパネルユニットの概略横断平面図である。
【図３】ばね体としてのねじりばねの形状を示した概略正面図である。
【図４】ディスクトレイが搬出位置に向けて前進しているときのトレイ出入口とトレイパネルユニットとの関係を示した縦断面図である。
【図５】ディスクトレイが搬入位置に向けて後退しているときのトレイ出入口とトレイパネルユニットとの関係を示した縦断面図である。
【図６】ディスクトレイが搬入位置に到達したときのトレイ出入口とトレイパネルユニットとの関係を示した縦断面図である。
【図７】軸線が折れ曲がって復元反力を発生するねじりばねの説明図である。
【図８】トレイパネルユニットを備えるディスク装置の概略斜視図である。
【図９】従来例としてのディスク装置に採用されているトレイパネルユニットをディスクトレイの前端部に装着している状態を示した概略横断平面図である。
【図１０】従来例において、ディスクトレイが搬出位置に向けて前進しているときのトレイ出入口とトレイパネルユニットとの関係を示した縦断面図である。
【図１１】従来例において、ディスクトレイが搬入位置に向けて後退しているときのトレイ出入口とトレイパネルユニットとの関係を示した縦断面図である。
【図１２】従来例において、ディスクトレイが搬入位置に到達したときのトレイ出入口とトレイパネルユニットとの関係を示した縦断面図である。
【符号の説明】
【００４３】
２０  ディスクトレイ
３０  トレイパネルユニット
３１  パネル本体
３２  取付けフレーム
４１，４２  凹所
５０  ねじりばね（ばね体）
５１  コイル部
５２  末端取付部
５３  中間取付部
１００  フロントパネル（筐体）
１１０  トレイ出入口
１２０  受枠部
Ｌ  コイル部の軸線方向
Ｗ  ディスクトレイの横幅方向
【図１】
2009170051.tif 000003
【図２】
2009170051.tif 000004
【図３】
2009170051.tif 000005
【図４】
2009170051.tif 000006
【図５】
2009170051.tif 000007
【図６】
2009170051.tif 000008
【図７】
2009170051.tif 000009
【図８】
2009170051.tif 000010
【図９】
2009170051.tif 000011
【図１０】
2009170051.tif 000012
【図１１】
2009170051.tif 000013
【図１２】
2009170051.tif 000014